(57)【特許請求の範囲】
【請求項１】
ＳＩＭカードを搭載可能な携帯通信機器であって、
電池を収納するための電池収納凹部と、
上記電池収納凹部の底面に設けられたＳＩＭカード収納凹部と、
上記ＳＩＭカードを固定するための弾力性を有する係止爪とを備え、
上記係止爪が上記ＳＩＭカードの一端側を支えるように、上記ＳＩＭカード収納凹部の一側面側に配置され、
上記係止爪の先端は、厚さ方向に傾斜する厚さ方向傾斜面を有し、
上記係止爪の先端の厚さ方向傾斜面は、該係止爪の厚さ方向において、表面側よりも裏面側の方が引っ込む斜面を有し、
上記ＳＩＭカードの一端と係止爪の先端との間には、隙間が形成され、
上記係止爪の先端における厚さ方向傾斜面の裏面側には、上記ＳＩＭカード収納凹部の底部に対して垂直なＳＩＭカード当接部が上記裏面側の方が引っ込む斜面と連続して形成され、該ＳＩＭカード当接部により、ＳＩＭカードの位置ずれが防止されるように構成されていることを特徴とする携帯通信機器。
【請求項２】
請求項１記載の携帯通信機器であって、
上記係止爪は上記電池収納凹部の底面に一体成形にて形成されていることを特徴とする携帯通信機器。
【請求項３】
請求項２に記載の携帯通信機器であって、
上記係止爪は、３辺の肉を切り欠くことにより、舌片の形状を有して基端側のみが電池収納凹部の底面に支持されて片持ち状態となっていることを特徴とする携帯通信機器。
【請求項４】
請求項１乃至３のいずれか１つに記載の携帯通信機器であって、
上記係止爪の裏面外周には、補強用リブが形成されていることを特徴とする携帯通信機器。
【請求項５】
請求項１乃至４のいずれか１つに記載の携帯通信機器であって、
上記ＳＩＭカード収納凹部の一側面に凹部側傾斜面を有することを特徴とする携帯通信機器。
【請求項６】
請求項５に記載の携帯通信機器であって、
上記係止爪の上面は、先端近傍に先端に向かって薄くなるように傾斜する表面側傾斜面を有していることを特徴とする携帯通信機器。
【請求項７】
請求項６に記載の携帯通信機器であって、
上記表面側傾斜面の勾配は、上記凹部側傾斜面の勾配よりも小さいことを特徴とする携帯通信機器。
【請求項８】
請求項１乃至７のいずれか１つに記載の携帯通信機器であって、
上記係止爪の両サイドには、該係止爪を押圧するための押圧用凹部が形成されていることを特徴とする携帯通信機器。
【請求項９】
請求項１乃至８のいずれか１つに記載の携帯通信機器であって、
上記ＳＩＭカード収納凹部の上記一側面と反対側の略半分には貫通孔が形成され、基板に搭載したＳＩＭカードホルダが、該貫通孔から露出するように構成されていることを特徴とする携帯通信機器。
【請求項１０】
請求項１乃至９のいずれか１つに記載の携帯通信機器であって、
携帯電話機であることを特徴とする携帯通信機器。
【発明の詳細な説明】
【技術分野】
【０００１】
本発明は、携帯通信機器に関し、特にそのＳＩＭカードの取り付け構造に関するものである。
【背景技術】
【０００２】
近年、電気通信技術の進歩に伴い、携帯電話機やＰＨＳ（Personal Handy phone System）端末等の利便性が急速に増している。一例では、ＳＩＭカード（Subscriber Identity Module card）を搭載可能なものが出現している。
【０００３】
ＳＩＭカードとは、ＧＳＭ（Global System for Mobile Communications）携帯電話で使われているＩＣ（Integrated Circuit）カードであり、内部には電話番号やユーザＩＤ（Identi-fication）、通話料金、電話帳、メモなどの情報が記載されている。
【０００４】
通常、電話番号や利用者ＩＤは携帯電話機の内蔵メモリに書き込まれた状態で通信が行われているので、他人が、この携帯電話を利用しても内蔵メモリに書き込まれた利用者が使用したことになってしまう。しかし、ＳＩＭカードを差し替えれば、そのＳＩＭカードに登録された利用者が使用したことになり、本人の携帯電話が故障したり、電池切れとなったときには、他人の携帯電話を借りて、本人のＳＩＭカードを差し替えれば、一時的に本人の携帯電話としての使用が可能になるというものである。
【０００５】
しかしながら、ＳＩＭカードの差し替えにおいて、電池を脱着した後でＳＩＭカードを脱着するという順序を守らないと、ＳＩＭカードが破損する恐れがある。
【０００６】
そこで、例えば、特許文献１乃至３では、電池の下にＳＩＭカードを配置することにより、電池を脱着した後でＳＩＭカードを脱着という順序を必ず守れるように構成している。このように構成することで、ＳＩＭカードの破壊を防止している。
【特許文献１】特開平６−２７６２６３号公報
【特許文献２】特開２００３−３３８８５８号公報
【特許文献３】特開２００５−１５９６３８号公報
【発明の開示】
【発明が解決しようとする課題】
【０００７】
しかし、従来の携帯電話機のように、電池の下にＳＩＭカードを配置した場合、ＳＩＭカードは、電池収納用凹部の底面のＳＩＭカード装着凹部に装着されると、脱着するときに指が入りにくく、脱着が煩わしくなってしまう。このため、ＳＩＭカード装着凹部の一側面にテーパを設け、スライドしながら脱着するようにしている。
【０００８】
しかしながら、携帯電話を携帯中に不注意で地面に落としてしまうことがあり、このとき、通常では想像すらしにくい事態が起こりうる。すなわち、落下により、ＳＩＭカードがテーパに沿って移動して、その位置がずれるということである。これにより、電池を脱着してないのにＳＩＭカードが電池よりも先に脱着されて破損するという事態が発生する。
【０００９】
本案発明は、上記問題に鑑み、不注意にも携帯通信機器を落とし、ＳＩＭカードが位置ずれを起こしたとしても、ＳＩＭカードが破損しにくい携帯通信機器の構造を提供することにある。
【課題を解決するための手段】
【００１０】
上記の目的を達成するために、本発明の携帯通信機器の構造は、ＳＩＭカードを搭載可能な携帯通信機器を対象とし、
電池を収納するための電池収納凹部と、
上記電池収納凹部の底面に設けられたＳＩＭカード収納凹部と、
上記ＳＩＭカードを固定するための弾力性を有する係止爪とを備え、
上記係止爪が上記ＳＩＭカードの一端側を支えるように、上記ＳＩＭカード収納凹部の一側面側に配置されている。
【００１１】
これにより、電池を脱着後にＳＩＭカードの挿抜が行われる。また、ＳＩＭカードの挿入と固定が容易になる。また、ＳＩＭカード収納凹部は電池収容凹部に設けられ、新たな固定用のフレームの新設が不要になる。
【００１２】
第２の発明では、上記係止爪は上記電池収納凹部の底面に一体成形にて形成されている。
【００１３】
これにより、部品としての係止爪を準備することが不要となり、コストアップがない。
【００１４】
第３の発明では、上記係止爪は、３辺の肉を切り欠くことにより、舌片の形状を有して基端側のみが電池収納凹部の底面に支持されて片持ち状態となっている。
【００１５】
これにより、係止爪が適度な弾性を備え、ＳＩＭカードの挿入性が向上する。
【００１６】
第４の発明では、上記係止爪の先端は、厚さ方向に傾斜する厚さ方向傾斜面を有している。
【００１７】
これにより、落下時には、ＳＩＭカードが傾斜に沿って滑ることになり、係止爪の上側に滑るか、下側に滑るかのコントロールが可能になる。
【００１８】
第５の発明では、上記係止爪の先端の厚さ方向傾斜面は、該係止爪の厚さ方向において、表面側よりも裏面側の方が引っ込む斜面を有している。
【００１９】
これにより、落下時には、ＳＩＭカードが係止爪の下側に滑るようになる。
【００２０】
第６の発明では、上記ＳＩＭカードの一端と係止爪の先端との間には、隙間が形成されている。
【００２１】
これにより、隙間がない場合に比べてＳＩＭカードが容易に挿入される。
【００２２】
第７の発明では、上記係止爪の先端における厚さ方向傾斜面の裏面側には、上記ＳＩＭカード収納凹部の底部に対して垂直なＳＩＭカード当接部が形成され、該ＳＩＭカード当接部により、ＳＩＭカードの位置ずれが防止されるように構成されている。
【００２３】
これにより、係止爪とＳＩＭカードとの間に隙間が形成されていても、ＳＩＭカードがＳＩＭカード当接部に当接するので、携帯通信機器の落下時にＳＩＭカードの位置ずれが規制される。
【００２４】
第８の発明では、上記係止爪の裏面周囲には、補強用リブが形成されている。
【００２５】
これにより、係止爪の肉厚が薄くても、強度のアップが図れる。
【００２６】
第９の発明では、上記ＳＩＭカード収納凹部の一側面に凹部側傾斜面を有する構成とする。
【００２７】
これにより、ＳＩＭカードを凹部側傾斜面で滑らせて装着することにより、装着が容易になる。
【００２８】
第１０の発明では、上記係止爪の上面は、先端近傍に先端に向かって薄くなるように傾斜する表面側傾斜面を有している。
【００２９】
これにより、ＳＩＭカードを係止爪の上面を滑らせて脱着するのが容易になる。
【００３０】
第１１の発明では、上記表面側傾斜面の勾配は、上記凹部側傾斜面の勾配よりも小さいものとする。
【００３１】
これにより、係止爪を指で押さえながらＳＩＭカードを脱着する際、ＳＩＭカードは凹部側傾斜面に沿って滑ることになり、係止爪に引っかからないので脱着が容易になる。
【００３２】
第１２の発明では、上記係止爪の両サイドには、該係止爪を押圧するための押圧用凹部が形成されている。
【００３３】
これにより、係止爪をその両サイドの押圧用凹部までスライドし易くなる。
【００３４】
第１３の発明では、上記ＳＩＭカード収納凹部の上記一側面と反対側の略半分には貫通孔が形成され、基板に搭載したＳＩＭカードホルダが、該貫通孔から露出するように構成されている。
【００３５】
これにより、筐体などを開閉しなくてもＳＩＭカード装着が可能となり、部品点数が削減される。
【００３６】
第１４の発明では、上記携帯通信機器は、携帯電話機とする。
【発明の効果】
【００３７】
不注意にも携帯通信機器を落としたとしても、電池脱着前にＳＩＭカードの接続停止の事態が起こりにくいため、ＳＩＭカードが破壊し難い。
【００３８】
また、ＳＩＭカード収納凹部の凹部側傾斜面及び係止爪の表面側傾斜面によりＳＩＭカードの挿抜が容易になる。
【発明を実施するための最良の形態】
【００３９】
以下、本発明の実施の形態について図面に基づいて説明する。
【００４０】
図１及び図２は、本発明の実施形態に係る折畳み式携帯電話機の開いた状態を示す正面斜視図及び背面斜視図である。また、図３及び図４は、本発明の実施形態に係る折畳み式携帯電話機の電池カバーと電池とを取り外した状態であって、ＳＩＭカードを装着した状態及び取り外した状態をそれぞれ示す背面斜視図である。また、図５は、ＳＩＭカードを装着した状態の断面図を示す。図６は、図５のＳＩＭカードを装着する部分（Ａ部）の拡大断面図である。
【００４１】
図１乃至図４に示すように、本実施形態の携帯電話機１は、第１の筐体２と第２の筐体３とを有し、これら第１の筐体２と第２の筐体３とは、ヒンジ部４にて折畳み可能に連結されている。
【００４２】
上記第１の筐体２の表面には、情報を表示するための液晶表示部５と、受話音声を出力する出力部６とが設けられている。第１の筐体２の背面には、サブ表示部７と、オーディオボタン８と、モード切替ボタン９と、飾り１０とが設けられている。
【００４３】
上記第２の筐体３の表面には、テンキーを持つ情報入力ボタン１１と、情報を入力するための機能ボタン１２と、音声を入力する送話部１３とが設けられている。第２の筐体３の背面には、電池カバー１４と、カメラ部１５と、アンテナ端子カバー１６とが設けられている。また、電池カバー１４を取り外した状態で電池４１（図５に示す）を収納する矩形状の電池収納凹部２９が形成されている。第２の筐体３の右側面には、イヤホンマイク端子を接続するための接続端子部１７が、第２の筐体３の左側面には、カードを挿入するためのカード挿入部１８が、第２の筐体３の下側面には、上記電池収納凹部２９に収納された電池４１を充電するための充電端子挿入部１９がそれぞれ設けられている。
【００４４】
図３に示すように、ＳＩＭカード２３は、１つの角部のみが面取りされた略矩形板状を有し、ＳＩＭカードホルダ２２（図９に詳細を示す）により、３辺が固定され（うち１辺は図示なし）、１辺は係止爪２０により固定されている。ＳＩＭカード２３の裏面側には、複数のＳＩＭカード接点５３が設けられている。
【００４５】
図４に示すように、上記電池収納凹部２９の底面における第２の筐体３のＳＩＭカード２３を配置する部分には、ＳＩＭカード２３の形状に対応するように略矩形状に窪んだＳＩＭカード収納凹部２６が形成されている。このＳＩＭカード収納凹部２６の一側面側（ヒンジ部４側）には、係止爪２０が一体形成されている。また、係止爪２０の両サイドには、平面視楕円形に周囲よりも凹んだ押圧用凹部２１が形成されている。
【００４６】
図７及び図８に示すように、上記係止爪２０は、肉厚が薄いもので、第２の筐体３と同時に一体成形される。係止爪２０は、３辺の肉を切り欠くことにより、舌片の形状を有してヒンジ部４側のみが電池収納凹部２９の底面に支持されて、片持ち状態となっている。このことで、係止爪２０は、適度な弾力性を有している。上記係止爪２０の表面側には、先端に向かってＳＩＭカード収納凹部２６の底部２６ａ側に若干傾斜する表面側傾斜面２０ａが形成されている。ＳＩＭカード収納凹部２６のヒンジ部４側は、底部２６ａ側に向かってヒンジ部４と反対側へ傾斜する凹部側傾斜面２７が形成されている。表面側傾斜面２０ａの傾斜は、凹部側傾斜面２７よりも極めて小さいものとなっている。
【００４７】
係止爪２０の先端の裏面側には、上記底部２６ａに対して垂直なＳＩＭカード当接部２０ｃが形成されている。このＳＩＭカード当接部２０ｃの表面側には、先端側に向かってＳＩＭカード当接部２０ｃから離れる方向へ傾斜する厚さ方向傾斜面２０ｂが形成されている。すなわち、厚さ方向傾斜面２０ｂは、係止爪２０の厚さ方向において、表面側よりも裏面側の方が引っ込む斜面となっている。ＳＩＭカード２３を装着している間は、ＳＩＭカード２３が厚さ方向傾斜面２０ｂ及びＳＩＭカード当接部２０ｃにＳＩＭカード２３のヒンジ部４側の端部が当接することで、ＳＩＭカード２３の移動が規制されるようになっている。なお、係止爪２０は落下等におけるＳＩＭカード２３の移動により破壊されないように、３辺の裏面外周に補強用リブ２０ｄを設け、強度アップが図られている。
【００４８】
図４乃至図６に示すように、ＳＩＭカード収納凹部２６のヒンジ部４側の略半分は電池収納凹部２９の底面と一体に形成され、残りの半分は、矩形状の貫通孔２８となっている。この貫通孔２８からは、メイン基板５１に半田付けされた上記ＳＩＭカードホルダ２２が露出している。このＳＩＭカードホルダ２２の突出量は、ＳＩＭカード２３を装着した状態で電池収納凹部２９の底面と同一高さとし、薄い直方体形状の電池４１を電池収納凹部２９に載せるために、ＳＩＭカード収納凹部２６の深さと同一となっている。なお、電池４１は接続端子２５と接続されるようになっている。
【００４９】
図９はＳＩＭカードホルダ２２の斜視図を現している。ＳＩＭカードホルダ２２は、樹脂成形品で構成されたハウジング５６を有し、このハウジング５６は、一端にＳＩＭカード２３のヒンジ部４と反対側端部が当接するハウジング側当接部５５を有している。このことで、ハウジング側当接部５５がＳＩＭカード２３挿入時の位置を決定している。両サイドには板金で構成された係止腕５４が設けられ、この係止腕５４が、ＳＩＭカード２３の左右方向及び表裏方向の位置を決定している。ハウジング５６の内部には、上記ＳＩＭカード２３のＳＩＭカード接点５３に対応するように、ホルダ接点２４が形成され、ホルダ接点２４の略中央はハウジング５６の底面より僅か隆起し、弾性力を有している。この隆起により、ＳＩＭカード２３のＳＩＭカード接点５３との接続が簡単になるように構成されている。
【００５０】
このように構成することで、上記ＳＩＭカード２３は、ＳＩＭカードホルダ２２の２つの係止腕５４個とハウジング５６のハウジング側当接部５５とで固定されている。ＳＩＭカード２３のヒンジ部４側には、係止爪２０が配置されているので、ＳＩＭカード２３のヒンジ部４側への移動が防止されている。ＳＩＭカード２３を挿入し易くするために、ＳＩＭカード２３と係止爪２０との間に少し隙間３０（図６に示す）が形成されている。また、上記ホルダ接点２４は、ＳＩＭカード２３がこの隙間３０をＳＩＭカード当接部２０ｃに当接するまで動いても、ホルダ接点２４とＳＩＭカード接点５３との接続が外れないように長めになっている。
【００５１】
−作用−
まず、本実施形態に係るＳＩＭカード２３の脱着方法について説明する。
【００５２】
図４の状態からＳＩＭカード２３を装着する際には、ＳＩＭカード２３を係止爪２０の上部に置き、そのヒンジ部４と反対側の一端をＳＩＭカード収納凹部２６の底部２６ａに滑らせながら、ＳＩＭカードホルダ２２に潜らせるようにスライドさせ、ＳＩＭカード２３のヒンジ部４と反対側の一端をハウジング側当接部５５に当接するまで挿入する。
【００５３】
反対にＳＩＭカード２３を取り出すには、指で係止爪２０を押さえながらＳＩＭカード２３を係止爪２０の上を通るようにスライドして外す。指で係止爪２０を押さえるとき、押圧用凹部２１がほぼ指の大きさになっているため、容易に係止爪２０を押さえることができる。
【００５４】
また、係止爪２０に設けられた表面側傾斜面２０ａの勾配は、凹部側傾斜面２７よりも小さいので、ＳＩＭカード２３をスライドして外すときに、係止爪２０を押さえると、ＳＩＭカード２３は、表面側傾斜面２０ａに接触する前に凹部側傾斜面２７に接触し、凹部側傾斜面２７に沿ってＳＩＭカード収納凹部２６から引き出されるので、係止爪２０の先端がＳＩＭカード２３に引っかかりにくくなっている。
【００５５】
また、ＳＩＭカード２３が装着されている間は、ＳＩＭカード２３のヒンジ部４側の端部と係止爪２０先端との間に隙間３０が形成されているが、係止爪２０の厚さ方向傾斜面２０ｂ及びＳＩＭカード当接部２０ｃがＳＩＭカード２３に当接することにより、その移動範囲が規制される。
【００５６】
次いで、携帯電話機１の落下テストについて説明する。
【００５７】
図１０は、落下テストをしたときにおけるＳＩＭカード収納凹部２６及びその周辺の拡大断面図である。落下の衝撃でＳＩＭカード２３がヒンジ部４側に移動してＳＩＭカード当接部２０ｃに当接しても、ＳＩＭカード２３のＳＩＭカード接点５３とホルダ接点２４とが接続を保っている。
【００５８】
落下等でＳＩＭカード２３が動いた場合、ＳＩＭカード２３が、まず厚さ方向傾斜面２０ｂに接触し、この厚さ方向傾斜面２０ｂにより、係止爪２０は上方向に持ち上げられようとするが、ＳＩＭカード当接部２０ｃに当たって止まる。
【００５９】
なお、厚さ方向傾斜面２０ｂが逆の勾配を持つと、ＳＩＭカード２３が係止爪２０の上を大きく移動し、ＳＩＭカード接点５３とホルダ接点２４との接続が解除されるということが実験により判明している。
【００６０】
−実施形態の効果−
したがって、本実施形態に係る携帯電話機１によると、不注意にも携帯電話機１を落としたとしても、電池４１の脱着前にＳＩＭカード２３の接続停止の事態が起こりにくいため、ＳＩＭカード２３が破壊し難い。
【００６１】
また、ＳＩＭカード収納凹部２６の凹部側傾斜面２７及び係止爪２０の厚さ方向傾斜面２０ｂによりＳＩＭカード２３の挿抜が容易になる。
【産業上の利用可能性】
【００６２】
以上説明したように、本発明は、ＳＩＭカードを搭載可能な携帯通信機器について有用である。
【図面の簡単な説明】
【００６３】
【図１】本発明の実施形態に係る折畳み式携帯電話機の開いた状態を示す正面斜視図である。
【図２】本発明の実施形態に係る折畳み式携帯電話機の開いた状態を示す背面斜視図である。
【図３】本発明の実施形態に係る折畳み式携帯電話機の電池カバーと電池とを取り外した状態であって、ＳＩＭカードを装着した状態を示す背面斜視図である。
【図４】本発明の実施形態に係る折畳み式携帯電話機の電池カバーと電池とを取り外した状態であって、ＳＩＭカードを取り外した状態を示す背面斜視図である。
【図５】本発明の実施形態に係る折畳み式携帯電話機のＳＩＭカードを装着した状態の図２のＶ−Ｖ線断面図である。
【図６】本発明の実施形態に係る折畳み式携帯電話機のＳＩＭカードを装着した状態で落下テスト前の図５のＡ部詳細を示す断面図である。
【図７】爪部を表面から見た拡大斜視図である。
【図８】爪部を裏面から見た拡大斜視図である。
【図９】ＳＩＭカードホルダ斜視図の形状を示す断面図である。
【図１０】本発明の実施形態に係る折畳み式携帯電話機のＳＩＭカードを装着した状態で落下テスト後の図５のＡ部詳細を示す断面図である。
【符号の説明】
【００６４】
１      携帯電話機（携帯通信機器）
３      第２の筐体
２０      係止爪
２０ａ    表面側傾斜面
２０ｂ    方向傾斜面
２０ｄ    補強用リブ
２１      押圧用凹部
２２      ＳＩＭカードホルダ
２３      ＳＩＭカード
２６      ＳＩＭカード収納凹部
２７      凹部側傾斜面
２８      貫通孔
２９      電池収納凹部
５１      メイン基板
【図１】
0004457053.tif 000002
【図２】
0004457053.tif 000003
【図３】
0004457053.tif 000004
【図４】
0004457053.tif 000005
【図５】
0004457053.tif 000006
【図６】
0004457053.tif 000007
【図７】
0004457053.tif 000008
【図８】
0004457053.tif 000009
【図９】
0004457053.tif 000010
【図１０】
0004457053.tif 000011